(57)【要約】【課題】マットレスにおけるポケットコイルからなる主材を、これを構成する生地とこの生地に包まれた圧縮コイルスプリングとに効率的に分別可能とする。【解決手段】筒状にした不織布からなる生地１ｃに対してその長さ方向において隣り合う溶着部１ｄとの間に間隔を開けて施された複数のこの溶着部１ｄによって区分された各空間内にそれぞれ圧縮コイルスプリング１ｂを一つずつ納めてなるポケットコイル１ａの集合体を主材１としたマットレスの解体方法である。主材１からマットレスを構成するその余の構成材を取り除く第一工程と、この第一工程によって前記その余の構成材と分離された主材１に対し前記生地１ｃを破壊するように高圧水２を噴射してこの生地１ｃと前記圧縮コイルスプリング１ｂとを分ける第二工程と、この第二工程により生じた破壊された生地１ｃの混ざった水５からこの破壊された生地１ｃを除去する第三工程とを含む。【選択図】図４
2012152280.tif 000002
【特許請求の範囲】
【請求項１】
筒状にした不織布からなる生地に対してその長さ方向において隣り合う溶着部との間に間隔を開けて施された複数のこの溶着部によって区分された各空間内にそれぞれ圧縮コイルスプリングを一つずつ納めてなるポケットコイルの集合体を主材としたマットレスの解体方法であって、
前記主材からマットレスを構成するその余の構成材を取り除く第一工程と、
この第一工程によって前記その余の構成材と分離された主材に対し前記生地を破壊するように高圧水を噴射してこの生地と前記圧縮コイルスプリングとを分ける第二工程と、
この第二工程により生じた破壊された生地の混ざった水からこの破壊された生地を除去する第三工程とを含む、
ことを特徴とするマットレスの解体方法。
【発明の詳細な説明】
【技術分野】
【０００１】
この発明は、ポケットコイルの集合体を主材としたマットレスの解体方法に関する。
【背景技術】
【０００２】
ポケットコイル（特許文献１参照）を寄せ集めてマットレスの主体部（主材）を構成させてなるマットレスがある。図５にその概要を示す。（図中、符号１０１はポケットコイル、符号１０２はボーダーワイヤー、符号１０３はシーティング、符号１０４はクッション、符号１０５はキルトパネル、符号１０６はボーダー、符号１０７は隅部の保護用クッションである。）
【０００３】
ここで、かかるマットレスの廃棄時には、前記ポケットコイル１０１を構成する不織布からなる生地とこの生地に包まれた圧縮コイルスプリングとを分別することが求められるが、両者は単純には分離させ難く、手作業に頼っているのが現状である。
【先行技術文献】
【特許文献】
【０００４】
【特許文献１】特開２００１−２８９２７６号公報
【発明の概要】
【発明が解決しようとする課題】
【０００５】
この発明が解決しようとする主たる問題点は、この種のマットレスにおけるポケットコイルからなる主材を、これを構成する生地とこの生地に包まれた圧縮コイルスプリングとに効率的に分別できるようにする点にある。
【課題を解決するための手段】
【０００６】
前記課題を達成するために、この発明にあっては、マットレスの解体方法を、筒状にした不織布からなる生地に対してその長さ方向において隣り合う溶着部との間に間隔を開けて施された複数のこの溶着部によって区分された各空間内にそれぞれ圧縮コイルスプリングを一つずつ納めてなるポケットコイルの集合体を主材としたマットレスの解体方法であって、
前記主材からマットレスを構成するその余の構成材を取り除く第一工程と、
この第一工程によって前記その余の構成材と分離された主材に対し前記生地を破壊するように高圧水を噴射してこの生地と前記圧縮コイルスプリングとを分ける第二工程と、
この第二工程により生じた破壊された生地の混ざった水からこの破壊された生地を除去する第三工程とを含む、ものとした。
【発明の効果】
【０００７】
この発明によれば、マットレスにおけるポケットコイルからなる主材を、これを構成する生地とこの生地に包まれた圧縮コイルスプリングとに効率的に分別することができ、したがって、かかるポケットコイルを利用してなるマットレスの解体を容易化させることができる。
【図面の簡単な説明】
【０００８】
【図１】図１はマットレスの主材とされるポケットコイルの集合体を示した斜視構成図である。
【図２】図２はポケットコイルの一部分を示した斜視構成図である。
【図３】図３はマットレスの主材に対して高圧水を噴射する第二工程の具体態様の一つを示した斜視構成図である。
【図４】図４はマットレスの主材に対して高圧水を噴射する第二工程及びこれに続く第三工程の具体態様の一つを示した概念構成図である。
【図５】図５はポケットコイルの集合体を主材として構成されたマットレスの分解斜視構成図である。
【発明を実施するための形態】
【０００９】
以下、図１〜図４に基づいて、この発明の典型的な実施の形態について説明する。この実施の形態にかかる解体方法は、ポケットコイル１ａの集合体を主材１としたマットレスを対象としたものである。
【００１０】
かかるマットレスは、 複数のポケットコイル１ａ、１ａ…を寄せ集めたもの、つまり、集合体をその主材１としている。具体的には、図１に示されるように、複数のポケットコイル１ａ、１ａ…を並行配列させて、マットレスは構成される。ポケットコイル１ａは、圧縮コイルスプリング１ｂを圧縮させた状態で、ポケットに納めてなる。図示の例では、かかるポケットコイル１ａは、圧縮コイルスプリング１ｂを納めた複数のポケットを、隣り合うポケット同士が納められた圧縮コイルスプリング１ｂの側部側において繋がった状態で、連続的に備えてなる。かかるポケットコイル１ａは、筒状にした不織布からなる生地１ｃ、典型的には合成樹脂製繊維より構成される不織布からなる生地１ｃ内に圧縮コイルスプリング１ｂを一つずつ納めながら、この筒状の生地１ｃに対し一つずつの圧縮コイルスプリング１ｂの両側においてそれぞれその幅方向に沿った溶着部１ｄを形成させることで、構成されている。すなわち、ポケットコイル１ａは、筒状にした前記生地１ｃに対してその長さ方向において隣り合う溶着部１ｄとの間に間隔を開けて施された複数のこの溶着部１ｄによって区分された各空間１ｅ（すなわち前記ポケット）内にそれぞれ圧縮コイルスプリング１ｂを一つずつ納めてなる。各圧縮コイルスプリング１ｂは同寸同形であり、各ポケットは略同じ大きさとなっている。前記隣り合うポケット同士は前記溶着部１ｄにおいて繋がっている。したがってまた、各ポケットに納められた各圧縮コイルスプリング１ｂはいずれもスプリング巻回軸を前記筒状の生地１ｃの幅方向に沿わせている。図１に示される例では、このように構成される複数のポケットコイル１ａを、構成されるマットレスの厚さ方向に圧縮コイルスプリング１ｂのスプリング巻回軸が沿い、かつ、このマットレスの長さ方向に各ポケットコイル１ａの長さ方向を沿わせるように並行配列させることにより、マットレスの主材１を構成させている。このように配列されるポケットコイル１ａ同士はその側面において接着させ合わされる。
【００１１】
この実施の形態にかかる解体方法は、以下の三つの工程を含んでなる。
（１）前記主材１からマットレスを構成するその余の構成材を取り除く第一工程
（２）第一工程によって前記その余の構成材と分離された主材１に対し前記生地１ｃを破壊するように高圧水２を噴射してこの生地１ｃと前記圧縮コイルスプリング１ｂとを分ける第二工程
（３）第二工程により生じた破壊された生地１ｃの混ざった水５からこの破壊された生地１ｃを除去する第三工程
【００１２】
第一工程では、前記のように構成される主材１から、マットレスを構成するその余の構成材を取り除く。かかるその余の構成材は、典型的には、シーティング、クッション、キルトパネル、ボーダーである。ボーダーワイヤーは圧縮コイルスプリング１ｂと同様に金属製であるので、主材１からは取り外さない。
【００１３】
第二工程では、前記その余の構成材と分離された主材１の全体に、前記生地１ｃとなる不織布を破壊する圧力を持った高圧水２を噴射する。すなわち、この高圧水２の噴射対象とされる主材１が、圧縮コイルスプリング１ｂ及びボーダーワイヤーのみになるように、この噴射をなす。かかる噴射は、典型的には、主材１を高圧水２を通過させる上下一対の押さえ部材３、３の間に挟み込んだ状態でなされる。かかる高圧水２は公知の高圧洗浄機などを利用して主材１に噴射させることができる。図３及び図４中、符号４で示すのはかかる高圧水２の噴射ノズルである。前記主材１全体の生地１ｃの破壊をなすと、上下一対の押さえ部材３、３間に複数の圧縮コイルスプリング１ｂ、１ｂ…が互いに絡まりあったような状態でボーダーワイヤーと共に残される。
【００１４】
第三工程では、第二工程により生じた破壊された生地１ｃの混ざった水５を集めてそこからこの破壊された生地１ｃを除去する。典型的には、図４に示されるように、ドレンパンＰ上において前記高圧水２の噴射をなし、それから生じる前記水を集め、この水の流路中に設けた公知の固液分離装置６によって前記生地１ｃを漉し取る。
【００１５】
以上の各工程によって、前記主材１を構成する金属製の部材、すなわち、圧縮コイルスプリング１ｂ及びボーダーワイヤーと、非金属製の部材との分別がなされる。前記高圧水２の噴射により主材１は容易且つ適切に金属製の部材と非金属製の部材とに分離分別される。したがって、この実施の形態にかかる解体方法は、効率的であり機械化にも適している。
【符号の説明】
【００１６】
１  主材
１ｂ  圧縮コイルスプリング
１ｃ  生地
１ｄ  溶着部
２  高圧水
５  生地の混ざった水
【図１】
2012152280.tif 000003
【図２】
2012152280.tif 000004
【図３】
2012152280.tif 000005
【図４】
2012152280.tif 000006
【図５】
2012152280.tif 000007